(57)【要約】【課題】タッチ入力時の使い勝手の向上を図る。【解決手段】本発明の入力装置は、表示部と、前記表示部に重ね合わせて配置されたタッチ面を備え、前記タッチ面へのタッチ入力を検出し、検出結果に応じた信号を出力するタッチ入力部と、前記タッチ面の周辺部の前記タッチ面に対する高さを検出し、検出した高さを示す検出信号を出力する検出部と、前記検出部から出力された検出信号に示される高さに応じて、前記表示部の表示を制御する制御部と、を有する。【選択図】図１
2013047886.tif 000002
【特許請求の範囲】
【請求項１】
表示部と、
前記表示部に重ね合わせて配置されたタッチ面を備え、前記タッチ面へのタッチ入力を検出し、検出結果に応じた信号を出力するタッチ入力部と、
前記タッチ面の周辺部の前記タッチ面に対する高さを検出し、検出した高さを示す検出信号を出力する検出部と、
前記検出部から出力された検出信号に示される高さに応じて、前記表示部の表示を制御する制御部と、を有することを特徴とする入力装置。
【請求項２】
請求項１記載の入力装置において、
前記制御部は、前記検出信号に示される高さに応じて、前記表示部が映像を表示する表示領域を縮小し、前記表示部の画面内の中央付近に配置することを特徴とする入力装置。
【請求項３】
タッチ面を備え、前記タッチ面へのタッチ入力を検出し、検出結果に応じた信号を出力するタッチ入力部と、
前記タッチ面の周辺部の前記タッチ面に対する高さを検出し、検出した高さを示す検出信号を出力する検出部と、
前記検出部から出力された検出信号に示される高さに応じて、前記タッチ面の端部から所定の範囲内における前記タッチ入力の検出感度を上げる制御部と、を有することを特徴とする入力装置。
【請求項４】
表示部と、前記表示部に重ね合わせて配置されたタッチ面と、を備えた入力装置の制御方法であって、
前記タッチ面の周辺部の前記タッチ面に対する高さを検出し、
前記検出した高さに応じて、前記表示部の表示を制御し、
前記タッチ面へのタッチ入力を検出し、検出結果に応じた信号を出力することを特徴とする入力装置の制御方法。
【請求項５】
請求項４記載の入力装置の制御方法において、
前記検出信号に示される高さに応じて、前記表示部が映像を表示する表示領域を縮小し、前記表示部の画面内の中央付近に配置することを特徴とする入力装置の制御方法。
【請求項６】
タッチ面を備えた入力装置の制御方法であって、
前記タッチ面の周辺部の前記タッチ面に対する高さを検出し、
前記検出した高さに応じて、前記タッチ面の端部から所定の範囲内におけるタッチ入力の検出感度を上げ、
前記タッチ面へのタッチ入力を検出し、検出結果に応じた信号を出力することを特徴とする入力装置の制御方法。
【請求項７】
表示部と、前記表示部に重ね合わせて配置されたタッチ面と、を備えた入力装置に、
前記タッチ面の周辺部の前記タッチ面に対する高さを検出する処理と、
前記検出した高さに応じて、前記表示部の表示を制御する処理と、
前記タッチ面へのタッチ入力を検出し、検出結果に応じた信号を出力する処理と、を実行させるプログラム。
【請求項８】
タッチ面を備えた入力装置に、
前記タッチ面の周辺部の前記タッチ面に対する高さを検出する処理と、
前記検出した高さに応じて、前記タッチ面の端部から所定の範囲内におけるタッチ入力の検出感度を上げる処理と、
前記タッチ面へのタッチ入力を検出し、検出結果に応じた信号を出力する処理と、を実行させるプログラム。
【発明の詳細な説明】
【技術分野】
【０００１】
本発明は、タッチ面を介して入力を受け付ける入力装置、入力装置の制御方法、および、プログラムに関する。
【背景技術】
【０００２】
操作者からの入力を受け付ける入力装置として、表示部と、表示部に重ね合わせて配置されたタッチ面への指などの接触または近接を検出するタッチ入力部と、を有し、タッチ面に指などを接触または近接させるタッチ入力を検出して、入力を受け付けるものがある。このような入力装置は、表示部の表示を見ながら直感的な入力が可能となり、使い勝手が良いため、近年、様々な機器に組み込まれている。
【０００３】
タッチ面を介して入力を受け付ける入力装置が組み込まれた機器には、タッチ面の周辺に枠が形成され、タッチ面とタッチ面の周辺部との間に段差があるものがある。
【０００４】
また、タッチ面を介して入力を受け付ける入力装置が組み込まれた機器としては、スマートフォン、携帯型ゲーム機などの携帯機器などもあるが、これらの携帯機器においては、タッチ面に対応する位置に窓が設けられたケースが装着されることがある。ケースが装着されると、タッチ面と周辺部との間にケースの厚さに応じた段差が生じる。
【０００５】
タッチ面と周辺部との間に段差があると、タッチ面の端部にタッチ入力を行う際に、周辺部に指が当たり、タッチ入力が行いにくくなることがある。
【０００６】
そこで、特許文献１（特開２００８−１２９８２３号公報）には、タッチ面を介して入力を受け付ける入力装置において、表示部の端部に表示されるキーに対応するタッチ面上のタッチ領域をそのキーの表示領域よりも大きく設定する技術が開示されている。この技術によれば、表示部の端部に表示されるキーに対応するタッチ領域へのタッチ入力が行いやすくなる。
【先行技術文献】
【特許文献】
【０００７】
【特許文献１】特開２００８−１２９８２３号公報
【発明の概要】
【発明が解決しようとする課題】
【０００８】
携帯機器などに装着されるケースには多種多様なものがあり、装着されるケースによって、タッチ面と周辺部との段差が変わる。特許文献１に開示の技術においては、タッチ面と周辺部との段差が変わることについては考慮がされていないため、タッチ面と周辺部との段差によっては、タッチ領域を大きく設定したとしてもなお、タッチ入力が行いにくく、使い勝手が悪いことがあるという課題がある。
【０００９】
本発明の目的は、タッチ入力時の使い勝手の向上を図ることができる入力装置、入力装置の制御方法、および、プログラムを提供することにある。
【課題を解決するための手段】
【００１０】
上記目的を達成するために本発明の第１の入力装置は、
表示部と、
前記表示部に重ね合わせて配置されたタッチ面を備え、前記タッチ面へのタッチ入力を検出し、検出結果に応じた信号を出力するタッチ入力部と、
前記タッチ面の周辺部の前記タッチ面に対する高さを検出し、検出した高さを示す検出信号を出力する検出部と、
前記検出部から出力された検出信号に示される高さに応じて、前記表示部の表示を制御する制御部と、を有する。
【００１１】
上記目的を達成するために本発明の第２の入力装置は、
タッチ面を備え、前記タッチ面へのタッチ入力を検出し、検出結果に応じた信号を出力するタッチ入力部と、
前記タッチ面の周辺部の前記タッチ面に対する高さを検出し、検出した高さを示す検出信号を出力する検出部と、
前記検出部から出力された検出信号に示される高さに応じて、前記タッチ面の端部から所定の範囲内における前記タッチ入力の検出感度を上げる制御部と、を有する。
【００１２】
上記目的を達成するために本発明の第１の入力装置の制御方法は、
表示部と、前記表示部に重ね合わせて配置されたタッチ面と、を備えた入力装置の制御方法であって、
前記タッチ面の周辺部の前記タッチ面に対する高さを検出し、
前記検出した高さに応じて、前記表示部の表示を制御し、
前記タッチ面へのタッチ入力を検出し、検出結果に応じた信号を出力する。
【００１３】
上記目的を達成するために本発明の第２の入力装置の制御方法は、
タッチ面を備えた入力装置の制御方法であって、
前記タッチ面の周辺部の前記タッチ面に対する高さを検出し、
前記検出した高さに応じて、前記タッチ面の端部から所定の範囲内におけるタッチ入力の検出感度を上げ、
前記タッチ面へのタッチ入力を検出し、検出結果に応じた信号を出力する。
【００１４】
上記目的を達成するために本発明の第１のプログラムは、
表示部と、前記表示部に重ね合わせて配置されたタッチ面と、を備えた入力装置に、
前記タッチ面の周辺部の前記タッチ面に対する高さを検出する処理と、
前記検出した高さに応じて、前記表示部の表示を制御する処理と、
前記タッチ面へのタッチ入力を検出し、検出結果に応じた信号を出力する処理と、を実行させる。
【００１５】
上記目的を達成するために本発明の第２のプログラムは、
タッチ面を備えた入力装置に、
前記タッチ面の周辺部の前記タッチ面に対する高さを検出する処理と、
前記検出した高さに応じて、前記タッチ面の端部から所定の範囲内におけるタッチ入力の検出感度を上げる処理と、
前記タッチ面へのタッチ入力を検出し、検出結果に応じた信号を出力する処理と、を実行させる。
【発明の効果】
【００１６】
本発明によれば、タッチ入力時の使い勝手の向上を図ることができる。
【図面の簡単な説明】
【００１７】
【図１】本発明の第１の実施形態の入力装置の構成を示すブロック図である。
【図２】図１に示す入力装置が組み込まれた機器の概観図である。
【図３】図１に示す近接センサの構成を示す図である。
【図４】図１に示す入力装置のタッチ面の周辺部の高さの判別時の動作を示すフローチャートである。
【図５】図１に示す入力装置の表示制御時の動作を示すフローチャートである。
【図６】本発明の第３の実施形態の入力装置の構成を示すブロック図である。
【図７】本発明の第４の実施形態の入力装置の構成を示すブロック図である。
【発明を実施するための形態】
【００１８】
以下に、本発明を実施するための形態について図面を参照して説明する。
【００１９】
なお、本発明に係る入力装置は、携帯電話、スマートフォン、携帯型ゲーム機など種々の機器に組み込まれて入力を受け付けるものである。
【００２０】
（第１の実施形態）
図１は、本発明の第１の実施形態の入力装置１００の構成を示すブロック図である。
【００２１】
図１に示す入力装置１００は、ＣＰＵ（Central Processing Unit）１０１と、ＲＯＭ（Read Only Memory）１０２と、作業用メモリ１０３と、加速度センサ１０４と、加速度センサ制御部１０５と、表示部１０６と、表示制御部１０７と、タッチ入力部１０８と、入力制御部１０９と、近接センサ１１０と、近接センサ制御部１１１と、バス１１２と、を有する。
【００２２】
ＣＰＵ１０１は、バス１１２を介してＲＯＭ１０２、作業用メモリ１０３、加速度センサ制御部１０５、表示制御部１０７、入力制御部１０９、および、近接センサ制御部１１１と接続され、各部を制御する。
【００２３】
ＲＯＭ１０２は、ＣＰＵ１０１が実行する各種の制御用プログラムなどの固定的なデータを格納する。
【００２４】
作業用メモリ１０３は、例えば、ＲＡＭ（Random Access Memory）で構成され、ＣＰＵ１０１がプログラムを実行する上で一時的に必要とされるデータを格納する。
【００２５】
加速度センサ１０４は、入力装置１００が組み込まれた機器に加わる加速度を検出し、検出結果を加速度センサ制御部１０５に出力する。
【００２６】
加速度センサ制御部１０５は、加速度センサ１０４の動作制御を行う。また、加速度センサ制御部１０５は、加速度センサ１０４から出力された検出結果に基づき、機器の姿勢を判定する。
【００２７】
表示部１０６は、白黒あるいはカラーの液晶ディスプレイ、有機ＥＬ（organic electroluminescence）ディスプレイなどであり、種々の映像を表示する。表示部１０６は、図２に示すように、機器の前面に配置される。
【００２８】
表示制御部１０７は、表示部１０６の表示を制御する。
【００２９】
タッチ入力部１０８は、表示部１０６に重ね合わせて配置されたタッチ面を備え、図２に示すように、タッチ面に指などを接触または近接させるタッチ入力を検出し、検出結果に応じた信号を入力制御部１０９に出力する。なお、タッチ入力部１０８の具体例としては、タッチセンサ、タッチパッドなどがある。
【００３０】
入力制御部１０９は、タッチ入力部１０８の動作制御を行う。また、入力制御部１０９は、タッチ入力部１０８から出力された信号に応じて、入力を受け付ける。
【００３１】
なお、本実施形態においては、表示部１０６とタッチ入力部１０８とが一体的に形成された、いわゆるタッチパネルを用いてもよい。
【００３２】
近接センサ１１０は、物体の近接状態を検出し、検出結果を近接センサ制御部１１１に出力する。
【００３３】
近接センサ制御部１１１は、近接センサ１１０の動作制御を行う。また、近接センサ制御部１１１は、近接センサ１１０から出力された検出結果に基づき、タッチ面の周辺部の高さを判別する。
【００３４】
次に、近接センサ１１０の構成について、図３を参照して説明する。なお、近接センサ１１０は、図３に示すように、タッチ面の周辺部３１に十分近い位置に配置される。
【００３５】
近接センサ１１０は、発光素子３２と受光素子３３とを有する。
【００３６】
発光素子３２は、周辺部３１に向かって、タッチ面に対して斜め上方向に赤外線を発信する。
【００３７】
受光素子３３は、発光素子３２から発信された赤外線が周辺部３１で反射された反射光を受信し、受信した反射光の光量を近接センサ制御部１１１に出力する。
【００３８】
次に、本実施形態の入力装置１００の動作について説明する。
【００３９】
まず、タッチ面に対する周辺部の高さの判別時の入力装置１００の動作について、図４に示すフローチャートを参照して説明する。
【００４０】
加速度センサ制御部１０５は、所定のイベントを契機として、加速度センサ１０４に加速度の検出を行わせる（ステップＳ１０１）。
【００４１】
加速度センサ１０４から検出結果が出力されると、加速度センサ制御部１０５は、その検出結果に基づき、機器が水平であり、かつ、表示部１０６は上を向いている状態であるか否かを判定する（ステップＳ１０２）。
【００４２】
機器が水平であり、かつ、表示部１０６が上を向いている状態でない場合には（ステップＳ１０２：Ｎｏ）、加速度センサ制御部１０５は、ステップＳ１０１の処理に戻る。
【００４３】
機器が水平であり、かつ、表示部１０６が上を向いている状態である場合には（ステップＳ１０２：Ｙｅｓ）、加速度センサ制御部１０５は、その旨を近接センサ制御部１１１に通知する。
【００４４】
近接センサ制御部１１１は、加速度センサ制御部１０５からの通知を受けると、近接センサ１１０に検出処理を行う旨を指示する（ステップＳ１０３）。
【００４５】
近接センサ制御部１１１からの指示を受けて、近接センサ１１１は、発光素子３２から赤外線を発信し、その赤外線が周辺部で反射された反射光を受光素子３３で受信し、受信した反射光の光量を近接センサ制御部１１１に出力する。
【００４６】
発光素子３２から出力される赤外線は、タッチ面に対して斜め上方向に向かってある程度の広がりを持っている。そのため、周辺部が高いほど、発光素子３２から発信された赤外線が周辺部で反射される量は多くなり、受光素子３３で受信される反射光の光量は大きくなる。一方、周辺部が低いほど、発光素子３２から発信された赤外線が周辺部で反射される量は少なくなり、受光素子３３で受信される反射光の光量は小さくなる。
【００４７】
近接センサ制御部１１１は、近接センサ１１０に検出処理を行う旨を指示した後、光量の検出結果が出力されると、検出処理の回数のカウント値を１加算し、カウント数が所定回数に達したか否かを判定する（ステップＳ１０４）。
【００４８】
カウント数が所定回数に達していない場合には（ステップＳ１０４：Ｎｏ）、近接センサ制御部１１１は、ステップＳ１０３の処理に戻る。
【００４９】
カウント数が所定回数に達した場合には（ステップＳ１０４：Ｙｅｓ）、近接センサ制御部１１１は、その所定回数の検出処理に応じて出力された検出結果に基づき、周辺部の高さを判別する（ステップＳ１０５）。ここで、近接センサ制御部１１１は、例えば、所定回数の検出処理に応じて出力された反射光の光量の平均値を算出し、算出した反射光の光量に基づき周辺部の高さを判別する。また、近接センサ制御部１１１は、例えば、タッチ面に対する周辺部の高さと反射光の光量とを対応させたテーブルを記憶しており、そのテーブルを参照して、近接センサ１１０から出力された反射光の光量に基づき、タッチ面に対する周辺部の高さを判別する。
【００５０】
次に、近接センサ制御部１１１は、判別したタッチ面に対する周辺部の高さをＲＯＭ１０２に格納する（ステップＳ１０６）。また、近接センサ制御部１１１は、検出処理の回数のカウント値をリセットする。
【００５１】
次に、近接センサ制御部１１１は、タッチ面に対する周辺部の高さをＲＯＭ１０２に格納した後、所定時間が経過したか否かを判定する（ステップＳ１０７）。
【００５２】
所定時間が経過していない場合には（ステップＳ１０７：Ｎｏ）、近接センサ制御部１１１は、ステップＳ１０７の処理を繰り返す。
【００５３】
所定時間が経過した場合には（ステップＳ１０７：Ｙｅｓ）、近接センサ制御部１１１は、その旨を加速度センサ制御部１０５に通知する。近接センサ制御部１１１からの通知を受けて、加速度センサ制御部１０５は、ステップＳ１０１の処理に戻る。
【００５４】
次に、表示部１０６の表示制御時の入力装置１００の動作について、図５に示すフローチャートを参照して説明する。
【００５５】
なお、以下では、表示部１０６にキーボードの映像（キーボード映像）を表示させ、キーボード映像に含まれる文字キーなどに対応するタッチ面上のタッチ領域にタッチ入力を行うことで入力が受け付けられるソフトキー入力を行う旨が入力されたとする。
【００５６】
ソフトキー入力を行う旨が入力されると、表示制御部１０７は、ＲＯＭ１０２に格納されているキーボード映像を読み出す（ステップＳ２０１）。また、表示制御部１０７は、ＲＯＭ１０２に格納されている周辺部の高さを読み出す（ステップＳ２０２）。
【００５７】
表示制御部１０７は、所定の閾値Ｔｈ１，Ｔｈ２(閾値Ｔｈ１＞閾値Ｔｈ２)と読み出した周辺部の高さとを比較し、周辺部の高さレベルを判定する（ステップＳ２０３）。具体的には、表示制御部１０７は、周辺部の高さが、閾値Ｔｈ１以上であれば高さレベル「高」と判定し、閾値Ｔｈ１未満かつ閾値Ｔｈ２以上であれば高さレベル「中」と判定し、閾値Ｔｈ２未満であれば高さレベル「低」と判定する。
【００５８】
周辺部の高さが高さレベル「低」である場合には、表示制御部１０７は、読み出したキーボード映像を、例えば、表示部１０６の画面全体に表示させる（ステップＳ２０４）。
【００５９】
周辺部の高さが高さレベル「中」である場合には、表示制御部１０７は、キーボード映像を表示する表示領域を、高さレベル「低」である場合よりも、上下左右にそれぞれ５ｄｏｔ分ずつ狭めて、表示部１０６に表示させる（ステップＳ２０５）。
【００６０】
周辺部の高さが高さレベル「高」である場合には、表示制御部１０７は、キーボード映像を表示する表示領域を、高さレベル「低」である場合よりも、上下左右にそれぞれ１０ｄｏｔ分ずつ狭めて、表示部１０６に表示させる（ステップＳ２０６）。
【００６１】
なお、ステップＳ２０５およびステップＳ２０６における、表示領域を狭めるドット数（５ｄｏｔおよび１０ｄｏｔ）はあくまでも一例であり、これに限られるものではない。
【００６２】
周辺部の高さレベルが高いと（タッチ面と周辺部との段差が大きいと）、タッチ面の端部にタッチ入力を行う際に、周辺部に指などが当たり、入力が行いにくくなる。そこで、周辺部の高さレベルが高いほど、表示部１０６の表示領域を狭め、画面の中央付近に配置することで、周辺部に指などが当たることがなく、タッチ入力を行いやすくなる。
【００６３】
次に、表示制御部１０７は、ソフトキー入力を終了する旨が入力されたか否かを判定する（ステップＳ２０７）。
【００６４】
ソフトキー入力を終了する旨が入力されていない場合には（ステップＳ２０７：Ｎｏ）、表示制御部１０７は、ステップＳ２０７の処理を繰り返す。
【００６５】
ソフトキー入力を終了する旨が入力された場合には（ステップＳ２０７：Ｙｅｓ）、表示制御部１０７は、キーボード映像の表示を終了させる。また、表示制御部１０７は、ステップＳ２０５またはステップＳ２０６で表示領域を狭めている場合には、表示領域を元に戻して（ステップＳ２０８）、処理を終了する。
【００６６】
このように本実施形態によれば、入力装置１００は、タッチ面の周辺部の高さを検出し、検出した高さに応じて表示部１０６の表示を制御する。
【００６７】
そのため、タッチ面と周辺部との段差のためにタッチ入力が行いにくい位置に表示部１０６の表示が配置されないようにすることができ、周辺部に指などが当たることがなくなり、タッチ入力時の使い勝手の向上を図ることができる。
【００６８】
なお、本実施形態においては、近接センサ１１０が赤外線型である例を用いて説明したが、誘導型、静電容量型、超音波型、電磁波型などであってもよい。
【００６９】
また、本実施形態においては、周辺部の高さレベルを３段階に分ける例を用いて説明したが、これに限られるものではない。例えば、高さレベルを２段階あるいは４段階以上に分けてもよく、また、周辺部の高さに応じてリニアに表示領域を変更してもよい。
【００７０】
また、本実施形態においては、周辺部の高さに応じて表示部１０６の表示領域の大きさを変更する例を用いて説明したが、これに限られるものではなく、例えば、周辺部の高さに応じて表示部１０６の端部に表示されるキーなどを大きく表示するようにしてもよい。
【００７１】
また、本実施形態においては、周辺部の高さに応じて表示部１０６の表示領域を上下左右にそれぞれ同じドット数だけ狭める例を用いて説明したが、これに限られるものではない。例えば、タッチ面の周辺の上下左右にそれぞれ近接センサを設け、各近接センサを用いたタッチ面の上下左右それぞれの周辺部の高さに応じて、表示部１０６の表示領域それぞれの調整量を変更するようにしてもよい。
【００７２】
（第２の実施形態）
本実施形態の情報処理装置２００は、第１の実施形態と比較して、周辺部の高さに応じて、表示部１０６の表示を制御するのではなく、タッチ入力の検出感度を変更するようにした点が異なる。上記動作を実現するために、本実施形態では、表示制御部１０７および入力制御部１０９は、第１の実施形態と異なる以下のような動作を行う。
【００７３】
すなわち、本実施形態においては、表示制御部１０７は、周辺部の高さに応じた表示部１０７の表示領域の変更などは行わない。
【００７４】
入力制御部１０９は、例えば、ソフトキー入力を行う旨が入力された場合などに、ＲＯＭ１０２に格納されている周辺部の高さを読み込み、その周辺部の高さに応じて、タッチ面の端部から所定範囲内の領域におけるタッチ入力の検出感度を上げる。なお、タッチ入力を検出する方式としては、例えば、抵抗膜方式、静電容量方式などがある。これらの方式では、タッチ面にタッチ入力が行われることで生じる抵抗値や静電容量の変化量と閾値とを比較し、例えば、変化量が閾値以上となった場合に、タッチ入力が検出される。この閾値を低く設定することで、抵抗値や静電容量の変化量が小さくてもタッチ入力が検出されるようになり、タッチ入力部１０８の検出感度を上げることができる。
【００７５】
このように本実施形態によれば、入力装置２００は、周辺部の高さに応じて、タッチ面の端部から所定範囲内の領域におけるタッチ入力の検出感度を上げる。
【００７６】
タッチ面と周辺部との間の段差が大きいと、周辺部に指が当たり、タッチ面への接触が弱くなることが考えられる。ここで、周辺部の高さに応じて、タッチ面の端部から所定範囲内の領域におけるタッチ入力の検出感度を上げることで、タッチ面への接触が弱くても入力が検出されるようになり、タッチ入力時の使い勝手の向上を図ることができる。
【００７７】
（第３の実施形態）
図６は、本発明の第３の実施形態の入力装置３００の構成を示すブロック図である。
【００７８】
図６に示す入力装置３００は、表示部３０１と、タッチ入力部３０２と、検出部３０３と、制御部３０４と、を有する。
【００７９】
表示部３０１は、種々の映像を表示する。
【００８０】
タッチ入力部３０２は、表示部３０１に重ね合わせて配置されたタッチ面を備え、タッチ面へのタッチ入力を検出し、検出結果に応じた信号を出力する。
【００８１】
検出部３０３は、タッチ面の周辺部のタッチ面に対する高さを検出し、検出した高さを示す検出信号を出力する。
【００８２】
制御部３０４は、検出部３０４から出力された検出信号に示される周辺部の高さに応じて、表示部３０１の表示を制御する。なお、制御部３０４は、例えば、周辺部の高さに応じて、表示部３０１が映像を表示する表示領域を狭め、表示部３０１の画面の中央付近に配置させる。
【００８３】
このように本実施形態によれば、入力装置３００は、タッチ面の周辺部のタッチ面に対する高さを検出し、検出した周辺部の高さに応じて表示部３０１の表示を制御する。
【００８４】
そのため、タッチ面と周辺部との段差のためにタッチ入力が行いにくい位置に表示部３０１の表示が配置されないようにすることができ、周辺部に指などが当たることがなくなり、タッチ入力時の使い勝手の向上を図ることができる。
【００８５】
（第４の実施形態）
図７は、本発明の第４の実施形態の入力装置４００の構成を示すブロック図である。
【００８６】
図７に示す入力装置４００は、タッチ入力部４０１と、検出部４０２と、制御部４０３と、を有する。
【００８７】
タッチ入力部４０１は、タッチ面を備え、タッチ面への指などを用いたタッチ入力を検出し、検出結果に応じた信号を出力する。
【００８８】
検出部４０２は、タッチ面の周辺部のタッチ面に対する高さを検出し、検出した高さを示す検出信号を出力する。
【００８９】
制御部４０３は、検出部４０２から出力された検出信号に示される高さに応じて、タッチ面の端部から所定の範囲内におけるタッチ入力の検出感度を上げる。
【００９０】
このように本実施形態によれば、入力装置４００は、周辺部の高さに応じて、タッチ面の端部から所定範囲内の領域におけるタッチ入力の検出感度を上げる。
【００９１】
タッチ面と周辺部との間の段差が大きいと、周辺部に指が当たり、タッチ面への接触が弱くなることが考えられる。ここで、周辺部の高さに応じて、タッチ面の端部から所定範囲内の領域におけるタッチ入力の検出感度を上げることで、タッチ面への接触が弱くても入力が検出されるようになり、タッチ入力時の使い勝手の向上を図ることができる。
【００９２】
なお、本発明の入力装置において行われる方法は、コンピュータに実行させるためのプログラムに適用してもよい。また、そのプログラムを記憶媒体に格納することも可能であり、ネットワークを介して外部に提供することも可能である。
【符号の説明】
【００９３】
１００，３００，４００    入力装置
１０１    ＣＰＵ
１０２    ＲＯＭ
１０３    作業用メモリ
１０４    加速度センサ
１０５    加速度センサ制御部
１０６，３０１    表示部
１０７    表示制御部
１０８，３０２，４０１    タッチ入力部
１０９    入力制御部
１１０    近接センサ
１１１    近接センサ制御部
１１２    バス
３１    周辺部
３２    発光素子
３３    受光素子
３０３，４０２    検出部
３０４，４０３    制御部
【図１】
2013047886.tif 000003
【図２】
2013047886.tif 000004
【図３】
2013047886.tif 000005
【図４】
2013047886.tif 000006
【図５】
2013047886.tif 000007
【図６】
2013047886.tif 000008
【図７】
2013047886.tif 000009